(57)【要約】【課題】  効率的に可視的な保存データを生成することで、単位スペースあたりにおいて、より多くの情報を保存用データとして生成することができる手段を提供することにある。【解決手段】  3種類のモノクロ画像をカラー出力機のシアン、マジェンタ、イエローの各プロセスカラーに対応させ、印刷出力を実行する。こうして、３種類のモノクロ画像情報は、シアン、マジェンタ、イエロー、グリーン、レッド、ブルー、ブラックの７色によって表示される。これをＲＧＢ３チャンネルのセンサーで読み取ることにより元の３種類のモノクロ画像に復元できるようにすることで、単位スペースあたり３倍の情報を重ねて印刷、復元できるようにする。【選択図】            図１
2006135753.tif 000002
【特許請求の範囲】
【請求項１】
保存用データ生成システムにおいて、
画像読取装置が読み取ったモノクロ画像の単位画素と、印刷装置が印刷出力する単位画素とを多対一に対応させて、前記画像を重ね合わせた印刷出力を実行することによって、保存用データを生成する、
ことを特徴とする保存用データ生成システム。
【請求項２】
保存用データ生成システムにおいて、
前記モノクロ画像を印刷出力装置のシアン、マジェンタ、イエローからなるプロセスカラーに対応させた、
ことを特徴とする請求項1記載の保存用データ生成システム。
【請求項３】
保存用データ生成システムにおいて、
保存用データの印刷出力に供する画像縮小率を設定し、印刷装置の印刷解像度を調査して、前期の印刷解像度に適合する画像読取装置の読取解像度を画像読取装置に設定する、
ことを特徴とする請求項１または２記載の保存用データ生成システム。
【請求項４】
保存用データ生成システムにおいて、
印刷装置の印刷解像度を調査し、画像読取装置の読取解像度を調査して、印刷出力される保存用データに係る縮小率およびその配列位置を設定する、
ことを特徴とする請求項１または２記載の保存用データ生成システム。
【発明の詳細な説明】
【技術分野】
【０００１】
この発明は、保存用データ生成システムに関し、特殊な装置やアプリケーションプログラムなどを必要とせずに、大量のデータを少ないスペースに保存し、自由に閲覧をすることができる保存用データ生成システムを実現するものである。
【背景技術】
【０００２】
従来、たとえば印刷出力された文書に署名捺印を追加するなど、書類として調整された情報を長期間保存する方式として、次に挙げるものがある。
【０００３】
第一の方式として、前記の書類の現物を保存するという方式が挙げられる。当該保存方式は発生した書類をそのままの形態で保存するので、保存方式としては最も基本的な方式であるといえる。
【０００４】
しかし、この方式では書類のサイズが不ぞろいであることが多く、保管の仕方によっては後日検索するのが困難であったり、また保存の対象の情報は累積していき、時間の経過とともに保管に必要なスペースが増大したりするといった問題がある。
【０００５】
第二の方式として、前記の書類をマイクロフィルムに収録するという方式が挙げられる。当該保存方式は書類をカメラ等で撮影してマイクロフィルムに焼き付けて記録するので、個別の書類のサイズが統一されてマイクロフィルムという共通の媒体に収納され、同一の条件によって検索が行われるので、検索が困難になることもない。また、マイクロフィルムのサイズはオリジナルの書類に比べて小さいので、データの保管に要するスペースは小さくてすむ。  
【０００６】
しかし、書類をマイクロフィルムに収録するためには専用の撮影機材および現像処理機材等を必要とし、同時に撮影実施者には専門の知識および技能が必要となる。さらにはマイクロフィルムの保存は温湿度等の環境からの影響に対する配慮が必要であり、定期的な保守作業を必要とするという問題がある。
【０００７】
第三の方式として、前記の書類を電子データで保存するという方式が挙げられる。当該保存方式は対象とするデータを生成する文書作成システムあるいはＣＡＤシステム等で作成した電子データをそのまま磁気記録方式等によって保存し、必要時に出力して用いるというものである。
【０００８】
この方式で保存する電子データは保存に要するスペースは小さくてすむが、当該書類はあくまでも下書き的な性格のデータであり、たとえば契約書等に見られるごとく署名捺印等の追加部分によって完成した書類、あるいは手書きの書類にみられるごとく初めから電子データによらない書類は対象から外される。
【０００９】
さらには当該電子データ自体が、データ生成時のシステムの仕様やプログラムに依存する。したがってこの方式で保存する電子データは、データ保存と並行してデータ作成に供した全ての種類のシステムあるいはプログラムを保存しておかなければ、後日の検索が不可能になるという危険性がある。
【００１０】
第四の方式として、前記のオリジナルな書類を光学的に読み取り、電子データに変換して保存するという方式が挙げられる。当該保存方式は電子的に生成されたデータも、電子的な方式に依存しないデータも等しく一旦は画像データの形態に統合し、前記の画像データを光学的に読み取って電子データに変換するので、全ての保存用データが統合した方式の下での取り扱い可能となる。
【００１１】
しかし、当該保存用データ自体が電子データであるということは、前記の保存用データの内容は閲覧用装置機器および閲覧用のプログラムによってのみ閲覧可能であるということである。
【００１２】
したがってこの方式で保存する電子データも、データの保存と並行して前記の保存用データ作成に供した全ての種類のシステムあるいはプログラムを保存しておかなければ、後日の検索が不可能になるという危険性が残る。
【００１３】
前記の保存用データ作成に関し、種々の改良が試みられてきた。たとえば前述の第四の方式による電子データにより保存用データを持つ方式と第二の方式によるマイクロフィルムにより保存用データを持つ方式を加味した方式が提案されている（特許文献１および２を参照）。
【００１４】
しかし、前記した通り、マイクロフィルムによる保存用データの生成は専用の設備と操作に習熟した担当者とを必要とする。
【００１５】
これらの問題を解決するために、画像読取装置が読み取った画像の単位画素と、印刷装置が印刷出力する単位画素とを対応させて印刷出力を実行することによって、可視的な保存用データを生成する手段が考案されている（特許文献３を参照）。
【００１６】
【特許文献１】特開平６−２８９４９４号公報
【特許文献２】特開２００２−１１１９３１号公報
【特許文献３】特願２００３−２８０８９２号
【発明の開示】
【発明が解決しようとする課題】
【００１７】
前記のごとく、従来の技術では次のような問題点がある。
保存用データとして、オリジナルな書類をそのままで保存することは、検索を困難にする場合があり、また、保管には非常に大きなスペースを必要とするという問題がある。
【００１８】
また、マイクロフィルムによって書類を保管する場合には、専用の機材が必要で、これに習熟した専門家を必要とするという問題がある。
【００１９】
また、電子データとして保管する場合には、閲覧するときに、電子データを生成するのに供したシステムやプログラムも並行して保存しておく必要があるという問題がある。
【００２０】
これらの問題を解決するため、画像読取装置が読み取った画像の単位画素と、印刷装置が印刷出力する単位画素とを対応させて印刷出力を実行することによって、可視的な保存用データを生成する手段が考案されている。
【００２１】
この発明の課題は、前記可視的な保存用データを生成する手段をより効率的に可視的な保存データを生成することで、単位スペースあたりにおいて、より多くの情報を保存用データとして生成することができる手段を提供することにある。
【課題を解決するための手段】
【００２２】
前記の問題点を解決するために、この発明では次に示す手段を取った。
【００２３】
本願は、前述の可視的な保存用データ生成システムの利点を生かしたまま、特にモノクロ画像に関して、これをカラー出力機で出力する際に、更なる記録密度の向上を図るものである。該モノクロ画像の単位画素と、印刷装置が印刷出力する単位画素とを多対一に対応させて、前記画像を重ね合わせた印刷出力を実行することによって、保存用データを生成する。
【００２４】
具体的には、各モノクロ画像をカラー出力機のシアン、マジェンタ、イエローの各プロセスカラーに対応させ、印刷出力を実行する。
【００２５】
こうして生成された印刷物は、プロセスカラーの特性によりモノクロ画像のいずれか１種類のみが対応する画素は、シアン、マジェンタ、イエローで表現され、いずれか２種類のモノクロ画像情報が対応する画素は、プロセスカラーの重ね合わせとしてレッド、グリーン、ブルーのいずれかで表現される。また、３種類全ての画像情報が対応する画素はブラックで表現される。
【００２６】
こうして、３種類のモノクロ画像情報は、前述の賞味７色の表現により、１枚の印刷出力上に重ね合わせて表現される。
【００２７】
このように重ね合わされた画像を、カラーのＣＣＤで読み取ることによりシアン、マジェンタ、イエローのそれぞれに対応するモノクロ画像に復元して読み取ることで、前述の可視的な保存用データ生成システムの３倍の情報を記録することができるようにしている。
【発明の効果】
【００２８】
この発明により、以下に示すような効果が期待できる。
【００２９】
本願の方法により、前述の可視的な保存用データ生成システムにより、同様の解像度の組み合わせで入出力システムを組んだ場合に比べて３倍の情報を記録することが可能である。
【００３０】
また、復元に際しても、重ね合わせ記録された情報を、広く一般に普及しているレッド、グリーン、ブルーの３チャンネルを有する画像読取装置によって簡便に分離、復元することが可能であり、簡便に復元可能な保存方法という前述の手段の特徴を損なうことがない。
【発明を実施するための最良の形態】
【００３１】
この発明は、次に示す実施の形態を取った。
【００３２】
保存用データ生成システムにおいて、画像読取装置が読み取った画像の単位画素と、印刷装置が印刷出力する単位画素とを対応させて印刷出力を実行することによって、可視的な保存用データを生成する。
【００３３】
これにより、当該保存用データ生成システムは、個々の画像読取画素に対応した印刷出力画素を生成することができる。
【００３４】
前記の保存用データ生成システムにおいて、保存用データの印刷出力に供する画像縮小率を設定し、印刷装置の印刷解像度を調査して、前記の印刷解像度に適合する画像読取装置の読取解像度を画像読取装置に設定する。
【００３５】
これにより、当該保存用データ生成システムはあらかじめ定める縮小率に合致した画像読取装置の読取解像度を設定して保存用データの印刷出力を実行することができるようになる。
【００３６】
前記の保存用データ生成システムにおいて、印刷装置の印刷解像度を調査し、画像読取装置の読取解像度を調査して、印刷出力される保存用データに係る縮小率およびその配列位置を設定する。
【００３７】
これにより、当該保存用データ生成システムは画像読取装置の読取解像度と印刷装置の印刷解像度とより算出した縮小率により保存用データの印刷出力を実行することができる。
【００３８】
保存用データ生成システムにおいて、画像読取装置が読み取った画像の単位画素と、印刷装置が印刷出力する単位画素とを対応させて印刷出力を実行することによって、可視的な保存用データを生成する。
【００３９】
これにより、当該保存用データ生成システムは個々の画像読取画素に対応した、印刷出力画素を生成するので、画像読取装置の読み取り解像度に等しい解像度の縮小画像を印刷出力するという効果を得られる。
【００４０】
さらに、３種類のモノクロ画像を、シアン、マジェンタ、イエローの３色のプロセスカラーに対応させて重ね合わせて印刷するように構成する。
【００４１】
これにより、読取解像度と印刷解像度による縮小率よりさらに３倍の情報量を印刷することができるようになり、また、画像読取装置によりシアン、マジェンタ、イエローの成分を抜き出して読み取ることにより、簡単に元の３種類のモノクロ画像を復元することができるようになる。
【実施例】
【００４２】
この発明による代表的な実施例を図によって説明する。なお、以下において、同じ箇所は同一の符号を付してあり、詳細な説明を省略することがある。
【００４３】
本装置では、読取解像度の単位画素を印刷解像度の単位画素に対応させることで、読取画像の縮小化を実現しているとともに、さらに、３種類のモノクロ画像をシアン、マジェンタ、イエローの３色のプロセスカラーに対応させて重ね合わせて印刷するように構成することで、より多くの情報を単位スペースに保存できるようにした保存用データ生成システムである。
【００４４】
まず、シアン、マジェンタ、イエローの各プロセスカラーの重ね合わせによって記録されたモノクロ画像をレッド、グリーン、ブルーの３チャンネルを有する画像読取装置によって分離、復元させる原理について説明する。
【００４５】
図２は、プロセスカラーインキ、シアン（Ｃ）、マジェンタ（Ｍ）、イエロー（Ｙ）の反射率分布の例である。図３は、画像読取装置のレッド（Ｒ）、グリーン（Ｇ）、ブルー（Ｂ）チャンネルの感度分布の例である。
【００４６】
ＲＧＢの３チャンネルを有する画像読取装置によって読み取られる信号は、ある波長におけるＲＧＢ感度とＣＭＹの反射率との積によって求められる値を、所定の範囲で積分した値となる。
【００４７】
このとき、図２、図３を見れば分かるように、ＣとＲ、ＭとＧ、ＹとＢの組み合わせでは、感度と反射率のピークが逆転しており、ほとんど信号が出力されないことが分かる。
【００４８】
逆に、上記以外の組み合わせでは、各チャンネルの感度のピークとプロセスインキの反射率のピークが概略一致しており、信号が出力されることが分かる。
【００４９】
次にプロセスインキの重ね合わせによって生じる二次色、三次色についてであるが、これらの反射率は、重ね合わされた各プロセスインキの反射率の積になると考えて差し支えない。
【００５０】
記録部に対する読取装置からの信号強度をまとめたのが図４の表である。
【００５１】
図４によれば、シアンとシアンを含む二次色、三次色に関しては、Ｒチャンネルの出力が小さく、含まない場合には出力が大きいとはっきりとした傾向が出ている。マジェンタとＧチャンネル、イエローとＢチャンネルについても同様のことが言える。
【００５２】
この表は、実在するプロセスインキと画像読取装置の組み合わせの一例であり、組み合わせによっては、数値は異なる。しかしながら、一般に前記のような傾向が崩れることはない。
【００５３】
また、画像読取装置は、明部に対して信号１（強）、暗部に対して信号０（弱）を出力することを前提に説明を進めたが、読取装置の特性が逆の場合は、強度に関して逆に考察する必要があるだけで、要旨は同様である。
【００５４】
これらの説明により、プロセスカラーインキの重ね合わせによって記録された画像は、レッド、グリーン、ブルーの各チャンネルを有する画像読取装置によって、その記録内容を容易に分離できることが分かる。
【００５５】
次に画像読取から、格納、復元までの流れを、本発明の一実施例として、実画像を例にとって図５、図６に沿って説明する。
【００５６】
Ｓ１が読み込もうとしているモノクロ画像である。この画像はもともと独立して記録されている画像である。
【００５７】
Ｓ２でまず、画像の読取解像度を設定する。
【００５８】
図１は、本発明の実施におけるシステム構成例である。ホスト装置１０は、保存用データの印刷出力に供する画像縮小率を設定し、印刷装置３０の印刷解像度を調査して、前記の印刷解像度に適合する画像読取装置の読取解像度を読取装置ドライバ１１により、読取解像度設定部２２に設定することで、画像読取装置２０の読取解像度を設定する。
【００５９】
もしくは、ホスト装置１０は印刷装置３０の印刷解像度を調査し、画像読取装置２０の読取解像度を調査して、印刷出力される保存用データに係る縮小率およびその配列位置を設定する。
【００６０】
こうして決められた解像度に従って画像読取装置２０は読取機構部２１によりＳ３のような読み取り結果を出力する。ホスト装置１０はこれらのデータを画像スタックメモリ１３に一旦保存した上で、出力用紙１枚分の画像がたまった段階で、各々の画像に任意のプロセスインキ色を割り当て、印刷機構部３１により画像データを生成する（Ｓ５）。
【００６１】
印刷装置から出力される結果は、これらを重ね合わせたＳ６のような画像となる。
【００６２】
前記の印刷データの生成において、当該画像を構成する画素の個数を変更することはない。すなわち当初に画像読取装置２０がホスト装置１０に提供した画像データを構成する１個の画素が、印刷装置３０において印刷出力するいずれかのプロセスカラーの１個の画素となる。
【００６３】
読み取った画像あるいは印刷出力した画像の画像サイズは、その構成する画素の個数と画素密度（すなわち解像度の逆数）との積で表せることから、例えば画像読取装置２０が２００ｄｐｉで読み取らせた画像を印刷装置３０において２０００ｄｐｉで印刷出力させれば、縮小率が１／１０の画像となる。
【００６４】
さらに当初に読み取った画素の全てを１対１で対応させて印刷データを生成させるため、読み取り時に獲得した画像情報は損なわれることなく印刷データに反映される。
【００６５】
前記の例によるごとく、Ａ４判の原稿を１／１０の縮小率で縮小画像を生成した場合、１枚の印刷出力の中に１００枚の原稿に相当する保存用データを収納することが可能となる。
【００６６】
さらに、本願の方法によれば、各プロセスカラーに対応させられた原稿は、印刷出力に重ねて出力されており、賞味３００枚の原稿に相当する保存用データを格納することが可能となる。
【００６７】
続いて、復元工程であるがホスト装置１０は出力結果Ｓ６を生成した印刷装置の解像度にふさわしい読み取り解像度を設定する。画像読取装置２０は、この解像度に従い、出力結果Ｓ６を読み取る。その結果は、図４の表を用いて説明したように各チャンネルに対応するプロセスカラーの記録結果を抽出したものとなる（Ｓ８）。
【００６８】
読み取り結果Ｓ８は若干のノイズを含むのが一般的である。これは、図４の表のアンダーラインを記した組み合わせ以外でも信号出力の差異が生じているためである。このようなノイズは、一定の閾値以下の出力をカットするなどフィルタ処理を行うことで除去することは可能である。
【００６９】
最終的に元々の記録どおりに所望の復元結果１〜３（Ｓ９）を得ることが出来る。ユーザーはホスト装置１０、或いは他の端末を使い、復元結果Ｓ９を画面上で閲覧するなり、印刷出力を行うなどすることが出来る。
【図面の簡単な説明】
【００７０】
【図１】本発明の構成図である。
【図２】シアン、マジェンタ、イエローの反射率説明図である。
【図３】ＲＧＢ感度説明図である。
【図４】各色記録部を読み取った際の各チャンネルの出力強度説明図である。
【図５】重ね合わせ画像生成処理説明図である。
【図６】重ね合わせ画像の分離・復元処理説明図である。
【符号の説明】
【００７１】
１０：ホスト装置
１１：読取装置ドライバ
１２：演算制御部
１３：画像スタックメモリ
１４：印刷装置ドライバ
２０：画像読取装置
２１：読取機構部
２２：読取解像度設定部
３０：印刷装置
３１：印刷機構部
３２：印刷解像度設定部
【図１】
2006135753.tif 000003
【図２】
2006135753.tif 000004
【図３】
2006135753.tif 000005
【図４】
2006135753.tif 000006
【図５】
2006135753.tif 000007
【図６】
2006135753.tif 000008